(57)【要約】【課題】三原色ＬＥＤを分散させて配設したＬＥＤ集合体によって表示素体10を構成し、この表示素体をドット配置して各ＬＥＤを選択発光させることによって多色に変化させると共に数字の字形を自然体に近い字形として表示させる。    これによって、数値が表す情報内容を感覚的に表現する表示手段を提供できる。【解決手段】光の三原色を発光する三種のＬＥＤ１を１個の円形又は方形の筐体２内に多数個配置してＬＥＤ集合体として色変化表示素体10を構成し、各ＬＥＤを表示色に対応して選択切替え点灯して各種の色を発色させる。  また、この色変化表示素体を多列、多段配列して数字表示ユニット１１を構成し、該ユニットに数字１字を表示させて表示数字を色変化させて表示する。【選択図】  図２
0003140870.tif 000002
【実用新案登録請求の範囲】
【請求項１】
光の三原色を発光する三種のＬＥＤを１個の筐体内に多数個配置してＬＥＤ集合体とすると共に各ＬＥＤを密着性弾性モールド材によって保持させてなる色変化表示素体。
【請求項２】
ＬＥＤ集合体を構成する三種のＬＥＤを赤３：緑２：青２の割合で分散配列してなる請求項１記載の色変化表示素体。
【請求項３】
筐体の上辺部に遮光兼防滴用のシェーダが設けられてなる請求項１又は２記載の色変化表示素体。
【請求項４】
請求項１乃至３のいずれかの発光素体を所要個数、行列配置してなる電光表示用数字表示ユニット。
【考案の詳細な説明】
【技術分野】
【０００１】
この考案は、光の三原色（赤、緑、青）を発光する３種のＬＥＤ（発光素子）を多数個集合して筐体内に収容した多色に変化する表示素体と、この表示素体を所望個数行列配置して数字の字形をドットマトリックス方式で表示する表示ユニットに関する。
【背景技術】
【０００２】
従来のＬＥＤ数値表示盤は、ＬＥＤ（単色表示素子）を液晶表示と同様の７セグメント配置して区分点灯させるもの（例えば特許文献１）であったから見た目が単調でしかも字形が不自然で見難い欠点があった。
【０００３】
【特許文献１】特開２００１−５１６２６公報
【考案の開示】
【考案が解決しようとする課題】
【０００４】
本案は、三原色ＬＥＤの集合体によって表示素体を構成し、この表示素体をドット配置して各ＬＥＤを選択発光させることによって多色に変化させると共に数字の字形を自然体に近い字形として表示するものであって、数値が表す情報内容を感覚的に表現する表示手段を提供するものである。
【課題を解決するための手段】
【０００５】
本案の色変化表示素体（「ＬＥＤクラスタ」という）は、光の三原色を発光する三種のＬＥＤを１個の円形又は方形の筐体内に多数個配置してＬＥＤ集合体として構成し、各ＬＥＤを表示色に対応して選択切替えて点灯することによって離間距離で各種の色を発色できるものである。
ＬＥＤ集合体は、ＬＥＤ集合体を構成する三種のＬＥＤは、赤３：緑２：青２の割合で分散配列するのがよい。  例えば、赤（Ｒ）９個、緑（Ｇ）６個、青（Ｂ）６個、合計２１個以上で構成する。
筐体内の各ＬＥＤ本体は、接着性シリコン樹脂などによる密着弾性樹脂によって収容保持されていて耐候性、耐水性を有し、屋内は勿論、温度変化が激しい屋外でも長期間安定して使用できる。
なお、筐体の上辺部にシェーダ（庇板）を突出連設して遮光兼防滴効果を具備させるのがよい。
また、上記のＬＥＤクラスタを多列、多段配列して数字表示ユニットを構成し、該ユニットに数字１字をドット表示させることによって表示数字に対応して色変化する数値表示盤を提供できる。
【考案の効果】
【０００６】
本案ＬＥＤクラスタは、数メートルの離間距離でも表１に示すような６色表示が可能である上、耐候性を備えて長寿命である。  また、このＬＥＤクラスタをマトリックス配置した数字表示ユニットを備えた電光表示盤は、例えば温度、湿度、風速或いは大気中の硫黄酸化物濃度など環境情報を数値と共に色変化させて感覚的に表現したり、競技得点などの数値を直感的に感得できるように数字の色を多様に変化させて表示できる。
【考案を実施するための最良の形態】
【０００７】
図１乃至図３において、１は三原色（Ｒ，Ｇ，Ｂ）のいずれかを発光する多数のＬＥＤであって本体がエポキシ樹脂で形成されている。  ＬＥＤ集合体  は、例えばＬＥＤを２１個として図１のように分散配置させる。２は、ＬＥＤ集合体を収容保持する方形（4cm×4cm）のポリカーボネート製筐体、３は側壁、４は取付基部であって側壁に対して傾斜させてもよい。  ５は筐体の上辺に連設したシェーダ、６は、夫々のＬＥＤリード線８の端子を固定する絶縁基板、７はモールド材であって黒色の接着性シリコン樹脂が好適である。  このモールド材はエポキシ樹脂製のＬＥＤ胴部に弾性を保持して強固に密着し、図３に示すように外周全方向の外力を受けても弾性を保持して剥離しない特性及び利点がある他、防水及び塩害に対して効果がある。９は、取付基部を貫通して各ＬＥＤ端子に接続する配線ケーブル、１０は、本案高輝度ＬＥＤクラスタである。  
筐体内のＬＥＤ配置は、原色発光の他、橙、マゼンタ、シアン及び白などを発色でき、しかも単色表示の場合でも全体の輝度を損なわないように配置する。  即ち、表示色と数字が遠目にも鮮明に識別されて視認できるように、例えば図１のように赤９個、緑６個、青６個（いずれも日亜化学製）とすることによって白色表示のときでも６５００cd/mの輝度が得られる。
図１のＬＥＤ配置によるクラスタの表示色と選択点灯個数の関係は表１のようである。
【０００８】
【表１】
0003140870.tif 000003
【０００９】
図４は、数字を表示する電光表示盤の例であって、ＬＥＤクラスタ１０を５段７列に配設して数字表示ユニット１１を形成し、該ユニットを電光表示盤１２上に数値の桁数だけ配列させたものである。  １３は、単位記号（℃、％など）を表示する固定表示部である。
図５は、ＬＥＤクラスタと表示ユニットの制御系統図であって、例えば外気温度を表示する場合、センサＳからのアナログ信号を変換回路２０でデジタル信号に変換し、ＣＰＵによって数字情報と予めこれに対応させた発色情報が駆動回路２１に出力される。
駆動回路２１は、数字情報に基いて表示ユニットを選択すると共に発色情報によって各クラスタ内の点灯すべきＬＥＤを選択して通電する。  これによって例えば表２に示すように温度に応じて発色を変化させることができる他、マイナス記号などを省略して表示することもできる。
なお、２２は、外光の調光センサであってこの明暗信号によって昼・夜における各ＬＥＤの輝度を制御できる。
【００１０】
【表２】
0003140870.tif 000004
【図面の簡単な説明】
【００１１】
【図１】ＬＥＤクラスタの表面図
【図２】クラスタの縦断側面図
【図３】クラスタ内におけるＬＥＤの保持状態を示す一部拡大図
【図４】数字表示ユニットを備えた電光表示盤の正面図
【図５】表示ユニットとＬＥＤクラスタの制御系統図
【符号の説明】
【００１２】
１  三原色発光ＬＥＤ
２  筐体
３  側壁
４  取付基部
５  シェーダ
６  絶縁基板
７  モールド材
８  リード線
９  配線ケーブル
１０  色変化発光素体
１１  数字表示ユニット
１２  電光表示盤
【図１】
0003140870.tif 000005
【図２】
0003140870.tif 000006
【図３】
0003140870.tif 000007
【図４】
0003140870.tif 000008
【図５】
0003140870.tif 000009